(57)【要約】  【課題】  オペレータの手入力による情報登録操作が必要な商品について、オペレータが行う操作を客側から容易に確認可能となるようにする。  【解決手段】  オペレータにより客が購入する商品の情報入力が行われる店舗用精算装置において、この店舗用精算装置は、透明あるいは半透明の部材により形成された表示部からなるディスプレイを備え、この表示部に表示され、押圧されることで商品情報の入力操作を受け付ける各操作ボタン２０〜６０が、表示面１４ａを透過して、この表示面１４ａの背面側にいる買い物客から視覚的に確認可能となっている。  【選択図】  図２
2009157725.tif 000002
【特許請求の範囲】
【請求項１】
透明あるいは半透明の部材により形成された表示部と、
この表示部の表示面に表示され、購入された商品情報の入力操作を受け付ける複数の操作子と、
前記表示面の操作子の表示を制御する表示制御手段とを備え、
前記操作子のうち特定の操作子が押圧されることにより、その操作子に割り当てられた入力情報が特定され、さらに、
前記表示面の操作子およびオペレータによる前記特定の操作子への操作が、前記表示面を透過して、客側より視覚的に確認可能である
ことを特徴とする対面式表示入力装置。
【請求項２】
前記表示面の操作子は、割り付けられる商品または操作を表す文字を表示し、
前記文字は、オペレータ側とは左右反転された状態で、客側より視覚的に確認される
ことを特徴とする請求項１に記載の対面式表示入力装置。
【請求項３】
前記表示面の操作子は、商品を表す絵記号を表示している
ことを特徴とする請求項１または請求項２に記載の対面式表示入力装置。
【請求項４】
前記表示面の操作子は、押圧された際に、押圧される前と比べて透過率が下がる
ことを特徴とする請求項１乃至請求項３に記載の対面式表示入力装置。
【請求項５】
前記表示面の操作子は、割り付けられる商品または操作を表す文字を表示し、
前記文字は、前記操作子が押圧されていない場合に、オペレータ側とは左右反転された状態で客側より視覚的に確認され、前記操作子が押圧された場合に、客側において左右正表示となるように表示が切り替わる
ことを特徴とする請求項１に記載の対面式表示入力装置。
【請求項６】
前記表示部は、前記表示面に表示された操作子と重ならない領域に、前記表示面の背面から入力操作可能な客用の操作子を表示する第二の表示面を有し、
前記客用の操作子が押圧されることにより、前記客用の操作子に割り当てられた入力情報が特定される
ことを特徴とする請求項１乃至請求項５に記載の対面式表示入力装置。
【請求項７】
商品に付された商品コードの読み取りまたは商品の計量等の手段により入力された情報に基づいて商品の精算を行う商品処理装置と、
前記商品処理装置による精算情報を表示する請求項１乃至請求項６に記載の対面式表示入力装置と
を備えたことを特徴とする店舗用精算装置。
【発明の詳細な説明】
【技術分野】
【０００１】
本発明は、対面式表示入力装置およびこれを備えた店舗用精算装置に関する。
【背景技術】
【０００２】
従来、商品に付されたバーコードを読み取ることで、商品情報を登録するバーコード読取装置と、バーコードが付されていない商品などについて、タッチパネルなどの入力手段を押圧操作することで、商品情報を登録する、タッチスクリーンなどの表示入力装置とを備えるとともに、これら登録された商品の商品名や単価などの精算情報を表示するために、オペレータ用の表示装置と買い物客用の表示装置とをそれぞれ設けたＰＯＳターミナル装置が知られている（例えば、特許文献１参照）。
【０００３】
この特許文献１のＰＯＳターミナル装置では、バーコードリーダやタッチスクリーンにより商品情報の登録が行われた商品について、商品名及び単価をオペレータに対して表示する第１補助ディスプレイと、タッチスクリーンと背中合わせになるように配置され、第１補助ディスプレイと同様の内容を買い物客に対して表示するカスタマーディスプレイとを備えている。
【０００４】
また、タッチスクリーンには、「野菜」「精肉」「鮮魚」「果物」「惣菜」「その他」などのグループ選択キー表示領域、このグループ選択キーの選択に伴い現れる、更に詳細な商品についての商品選択キー表示領域、「タイムサービス」等の割引操作を行うためのファンクションキー表示領域、等が表示される。
【０００５】
そして、オペレータがこのＰＯＳターミナル装置を用いてレジ精算を行う場合には、オペレータは、バーコードが付された商品については、バーコードリーダによりバーコードを読み取らせ、野菜などのバーコードが付されていない商品については、商品選択キーを操作して、商品情報を登録する。
【０００６】
また、一般的に、スーパーなどの量販店等においては、閉店時間が近づいたにも拘わらず売れ残ってしまった商品などに対して、タイムサービス商品として割引価格が付されることが多いが、このような商品を登録する場合、従来の周知のＰＯＳターミナル装置では、一度、商品の情報登録が行われて定価が表示された後に、タイムサービスキーなどの割引ボタンが押されることにより、タイムサービス価格（割引価格）が表示される。
【０００７】
このように、オペレータにより情報登録された商品は、その商品名と、定価あるいは割引価格とが、オペレータ側に向けて設けられたオペレータ用の表示装置と、買い物客側に向けて設けられた買い物客用の表示装置とに、それぞれ表示される。
【０００８】
【特許文献１】特開２００７−５２６７４号公報（図１、図３）
【発明の開示】
【発明が解決しようとする課題】
【０００９】
店舗における買い物の際、買い物客にとって、購入した商品の情報登録が正しく行われているかどうかは、関心の高いところである。従来のＰＯＳターミナル装置では、買い物客は、商品コードが付された商品については、オペレータが商品コードを商品コード読取装置にかざして読み取らせる動作を視認でき、読み取らせた際に発生する読取音によっても読み取られたことを確認できることから、商品の情報登録が正しく行われているかどうかを容易に判断することができる。しかしながら、商品コードが付されていない商品や、商品コードの有無に拘わらず割引価格が設定された商品については、オペレータが行う商品選択ボタンやタイムサービスボタンへの押圧操作を買い物客側から直接視認することが容易でなく、買い物客用の表示装置に表示される情報登録の結果表示のみでしか、情報登録が正しく行われているかどうかを確認することができなかった。
【００１０】
本発明は、上記課題に鑑みなされたものであり、商品コードの付されていない商品や、割引価格が設定された商品など、オペレータの手入力による情報登録操作が必要な商品について、オペレータが行う操作を客側から容易に確認できるようにすることで、商品の情報登録操作に対する信頼性を高めることができる対面式表示入力装置および店舗用精算装置を提供することを目的とする。
【課題を解決するための手段】
【００１１】
上記目的を達成するために、本発明のバーコード読取装置は、透明あるいは半透明の部材により形成された表示部と、この表示部の表示面に表示され、購入された商品情報の入力操作を受け付ける複数の操作子と、前記表示面の操作子の表示を制御する表示制御手段とを備え、前記操作子のうち特定の操作子が押圧されることにより、その操作子に割り当てられた入力情報が特定され、さらに、前記表示面の操作子およびオペレータによる前記特定の操作子への操作が、前記表示面を透過して、客側より視覚的に確認可能であることを特徴としている。
【発明の効果】
【００１２】
本発明によれば、バーコードが付されていない商品や、割引価格が設定された商品などについて、オペレータが行う商品の情報登録操作を客側から容易に確認できるため、商品の情報登録操作に対する信頼性を高めることができる。
【発明を実施するための最良の形態】
【００１３】
以下、図１乃至図８を参照して、本発明の一実施形態を説明する。なお、この説明において、オペレータ側とは、図１に示すサッカー台４を基準としてこれより手前側（左下方向）、即ち、バーコード読み取り走査が行われる側を指し、客側とは、サッカー台４を基準としてこれより奥側（右上方向）を指すものとする。
【００１４】
図１は本発明の一実施形態に係る対面式表示入力装置および店舗用精算装置を具備したチェックアウトレーン１の構成図である。このチェックアウトレーン１は、店舗用精算装置２と、チェックアウトレーン１の商品および顧客の移動方向下流側に設けられた電子キャッシュレジスタ３と、この店舗用精算装置２および商品を収容する買い物かごを載置するためのサッカー台４と、店舗用精算装置２および電子キャッシュレジスタ３とを制御する図示しない制御手段とを備えている。
【００１５】
電子キャッシュレジスタ３は、オペレータが、店舗用精算装置２により入力された購入商品についての会計処理を行うものであって、本体ハウジング８と、各種の情報を表示するディスプレイ９と、データ入力用のキーボード１０と、各種データを印字出力するためのＲ／Ｊプリンタ１１と、金銭を格納するドロワ１２とを備えている。
【００１６】
店舗用精算装置２は、オペレータが、客が購入しようとする商品の入力を行うためのものであって、図１に示すように、サッカー台４に載置され、オペレータ側に向けて走査光を出射するための読取窓７を有する商品処理装置としてのバーコード読取装置５と、このバーコード読取装置５の上部に設けられ、後述する操作子としての複数の操作ボタンや、各種商品情報などを表示する、対面式表示入力装置としてのディスプレイ６とを備えている。
【００１７】
ディスプレイ６は、オペレータ側および客側の双方に対して表示面を有する表示部１４と、この表示部１４をバーコード読取装置５の上部に支持固定する支持体１３とから構成されている。このディスプレイ６はバーコード読取装置５に設けられた図示しない制御手段によりその表示が制御されるもので、バーコード読取装置５によりバーコードを読み取られた商品は、その商品名や価格等の商品情報が表示部１４に表示されるようになっている。
【００１８】
表示部１４は、図８に示すように、例えば透過性を有する有機ＥＬパネル１７により構成されている。この有機ＥＬパネル１７は、電界発光層の上下を透明導電膜で挟むとともに、これらをガラス板などの透明基板でさらに上下から封止し、この透明導電膜を駆動するＴＦＴなどの駆動回路領域と電界発光層で生成された光が出光する表示領域とが重ならないように形成することで、電界発光層の上下方向に向けて出光可能としたデュアルエミッション型の有機ＥＬパネルを使用している。従って、この有機ＥＬパネル１７に表示される画像は、表側と裏側から、換言すれば、オペレータ側と客側から同時に視認できるようになっているとともに、画像が表示される部分の透過率を調整することにより、パネルを介して対向側を透過して見ることができる。
【００１９】
次に、精算処理を行う際に表示部１４に表示される画面について説明する。
図２、図４は、表示部１４をオペレータ側から見た際の画面を示し、図３、図５は、図２、図４に表示された画面を、それぞれ客側から見た際の画面を示している。
【００２０】
符号１４ａで示す領域は、オペレータ用の表示面であり、オペレータが精算処理を行い易いよう、オペレータ側に向けて左右正表示となるように文字が表示されている。また、符号１４ｂで示す領域は、第二の表示面としての客用の表示面であり、オペレータ用の表示面１４ａに隣接して設けられ、買い物客が、精算された商品の金額を見易くなるよう、客側に向けて左右正表示となるように文字が表示される。従って、図２において、オペレータにとって左右正表示に写るオペレータ用の表示面１４ａは、図３に示すように、買い物客にとっては左右反転して見える左右反転表示となる。本一実施形態においては、このように、買い物客にとって左右反転して見えるように表示することで、オペレータが操作している画面と同一の画面を直接視認していることを、買い物客に対して明確に意識させることができる。
【００２１】
オペレータ用の表示面１４ａには、オペレータが手入力で商品の情報登録を行う際に押圧操作する複数の操作ボタンとして、「野菜」「果物」「惣菜」「鮮魚」「おでん」などの商品のカテゴリーを選択する商品カテゴリー選択ボタン２０と、この商品カテゴリー選択ボタン２０で選択したカテゴリーについて、より詳細な品目を選択するための詳細品目選択ボタン３０と、誤って選択した商品を取り消す「商品取消」ボタンおよび、値引き商品についての値引き処理を行う「値引き」ボタンなどからなる取引操作選択ボタン４０と、数値入力を行うためのテンキーボタン５０と、精算処理を決定するための小計ボタン６０とが表示される。後述するごとく、表示面１４ａに表示されているこれらのボタンをオペレータが直接操作することにより、そのボタンに割り付けられた情報が直接入力できる。
【００２２】
詳細品目選択ボタン３０には、商品を表す絵記号、商品名、商品の価格がそれぞれ表示される。例えば、符号３１は、商品カテゴリー選択ボタン２０の中のおでんボタン２１が選択された際に複数表示される詳細品目の１つ、「ごぼう巻き」を表すボタンであり、上段の画像部３１ａにはごぼう巻きの写真が表示され、中段の商品名部３１ｂには品目名が表示され、下段の価格部３１ｃには価格が表示される。このように、商品名部３１ｂとともに画像部３１ａを併せて表示することで、買い物客は商品の種類を画像により直観的に理解でき、商品名部３１ｂが左右反転して表示されるに拘わらず、詳細品目選択ボタン３０の判別を容易とすることができる。
【００２３】
これらの各操作ボタンは、押圧選択されない通常状態の際は、表示面１４ａとともに透過率が例えば約１００％となっており、有機ＥＬパネル１７を介して背景が透視可能となっている。このため、図４、図５および図８に示すように、各操作ボタンを操作するオペレータの手指が、客側に透過して視認可能となる。
【００２４】
また、オペレータにより押圧選択された際は、例えばおでんボタン２１、つくねボタン３２、値引きボタン４１のように、押圧された操作ボタンの枠内部分が着色表示され、視認性が向上する。このため、買い物客は、押圧操作される以前においては、オペレータの操作（手の動き）を容易に追うことができ、押圧操作された以後においては、押圧された操作ボタンの種類を確実に判別することができる。このため、入力処理の結果のみを表示するのに比べて、買い物客に対するオペレータの情報登録操作についての信頼性が向上する。
【００２５】
これら各操作ボタンのうち、商品カテゴリー選択ボタン２０は、押圧されてから精算処理が終了するまで着色表示が続き、詳細品目選択ボタン３０は、押圧されてから精算処理が終了するまで、または、再度同じボタンが押圧されるまで着色表示が続き、テンキーボタン５０、小計ボタン６０、商品リストボタン、商品取消ボタンは、押圧されてから指が離れるまで着色表示が続き、値引きボタン４１は、押圧されてから他の操作ボタンが押圧されるまで、または、バーコード読取装置５によって商品の情報登録がなされるまで着色表示が続く。
【００２６】
なお、上述のように着色表示する方法以外にも、例えば、文字および文字を囲む枠のみを着色したり、押圧された操作ボタンの大きさを他のボタンより拡大表示させるなど、他の方法としてもよい。しかしながら、着色表示による方法の場合、着色表示された部分は、着色しない他の部分と比べて透過率が下がるため、有機ＥＬパネル１７を透過して写る背景が遮られて押された操作ボタンがより見やすくなる点で、着色表示する方法がより好ましい。
【００２７】
また、オペレータ用の表示面１４ａには、これら操作ボタンとは別に、情報登録を行った商品の精算情報を表示する金額表示部７０が設けられており、この上段部７１には、最後に情報登録した商品名と数量、金額が表示され、下段部７２には、商品の値引き額などの補足情報、および、これまで情報登録した商品の合計金額が表示される。この金額表示部７０は、視認性を高めるために当初から着色表示されているとともに、買い物客からオペレータによる情報登録操作の視認が阻害されないよう、画面上の最下方位置に配置されている。
【００２８】
客用の表示面１４ｂには、客が手入力で情報入力操作するための操作ボタンとして、誤って選んだ商品を取り消すための商品取消ボタン８１と、ポイントを使用して支払いをする際にポイント使用額を入力するための使用ポイント入力ボタン８２と、現金またはカードなどの支払い方法を選択するための支払方法選択ボタン８３とが表示される。このように、客側の表示面１４ｂに買い物客用の操作ボタン８１〜８３を設けたことにより、買い物客からオペレータへの情報伝達が迅速且つ容易となり、精算処理にかかる時間を短縮することができる。また、店舗内が騒がしく、声が掻き消されるような場合であっても、環境に左右されることなく、正確に情報伝達を行うことができる。
【００２９】
これら各操作ボタン８１〜８３も、オペレータ用の表示面１４ａ上に配置された各操作ボタンと同様に、表示面１４ｂとともに透過率が例えば約１００％となっており、有機ＥＬパネル１７を介して背景が透視可能となっている。このため、図６、図７に示すように、買い物客の手がオペレータ側に透過して視認可能となる。また、各操作ボタン８１〜８３が買い物客に押圧選択された際は、押圧されてから指が離れるまで着色表示が続く。
【００３０】
また、これら操作ボタンとは別に、オペレータにより最後に情報登録された商品の商品名と数量、金額を表示する個別品目金額表示部８４と、使用ポイント入力ボタン８２にて入力したポイント使用額を表示するポイント表示部８５と、商品の値引き額などの補足情報、および、これまで情報登録した商品の合計金額を表示する合計金額表示部８６とが表示される。これら各表示部８４、８５、８６も、金額表示部７０と同様に、視認性を高めるために当初から着色表示されている。
【００３１】
なお、オペレータの情報登録操作を客が視認するのに対して、客の情報入力操作をオペレータが視認することは、相対的に重要度は下がる。よって、客用の表示面１４ｂ、および各操作ボタン８１〜８３は、必ずしも透過または半透過可能でなくてもよく、無透過でもよい。
【００３２】
図８に示すように、有機ＥＬパネル１７のオペレータ側の表面には、オペレータ用の表示面１４ａを覆うようにタッチパネル９０が貼り付けられ、客側の表面には、客用の表示面１４ｂを覆うようにタッチパネル９１が貼り付けられている。オペレータまたは買い物客が、これらタッチパネル９０、９１を介して各表示面１４ａ、１４ｂ上を押圧操作することにより、各表示面上の位置情報が検出されるとともに、この位置情報が図示しない制御手段に入力される。制御手段は、この位置情報の入力に基づき、押圧された各操作ボタンに割り当てられた精算情報の登録処理、前述した商品カテゴリー選択ボタン２０に対応した詳細品目選択ボタン３０の表示切替、各操作ボタンの着色表示、各表示面１４ａ、１４ｂの透過率の変更、等の処理を行う。
【００３３】
なお、これらタッチパネル９０、９１としては、有機ＥＬパネル１７からの出射光をできるだけ阻害することのない、透過率の高いものを使用することが望ましい。従って、本一実施形態では、導電膜を必要としないことから光の減衰を抑えることのできる、表面弾性波方式のタッチパネルを使用している。
【００３４】
次に、上述の店舗用精算装置２を用いて、オペレータが精算処理である購入された商品の情報の入力を行う際の動作を説明する。
【００３５】
図１に示すように、買い物客は、購入しようとする商品を入れた買い物かご１５をサッカー台４上に載置する。オペレータは、買い物かご１５に入れられた種々の商品のうち、バーコードが付された商品については、読取窓７にバーコードをかざして読み取らせることで、商品情報を登録させる。商品情報の登録を終えるとオペレータは、商品を買い物かご１６に入れる。
【００３６】
買い物かご１５にバーコードが付されていない商品が入っていた場合、オペレータは、ディスプレイ６に表示された商品カテゴリー選択ボタン２０のうち、精算しようとする商品がどのカテゴリーに属するかを判断し、該当するカテゴリーの選択ボタン２０を押す。ここでは、買い物客がおでん具材売り場から選択したおでん商品の、「つくね」「たこ」「ちくわぶ」を精算する場合を例として説明する。
【００３７】
図４に示すように、オペレータは、まず、おでんボタン２１を押圧する。押圧されたおでんボタン２１は着色表示され、同時に、おでんのカテゴリーに属する詳細品目選択ボタン３０が、４行４列に亘り１６個表示される。オペレータは、これらの中から、順次、つくねボタン３２、たこボタン３３、ちくわぶボタン３４を選択して押圧する。この際、購入数量が１である「つくね」と「たこ」については、それぞれ１回ずつ、つくねボタン３２とたこボタン３３が押圧される。購入数量が２である「ちくわぶ」については、ちくわぶボタン３４を１度押した後に、テンキー５０の中の「２」のボタンが押圧される。
【００３８】
ここで、例えば、タイムセールスにより、「ちくわぶ」２つで５０円引きの価格設定がなされていたとする。この際、オペレータは、ちくわぶボタン３４、テンキーボタン５０の「２」ボタンを順次押圧する。すると、まず、金額表示部７０の上段部７１に、「１００円×２  ２００円」と正規の価格が表示される。続いて、オペレータが値引きボタン４１を押圧すると、下段部７２に、「値引き額  −５０円」と表示され、上段部７１の表示が「１００円×２  １５０円」となり、値引き後の価格が表示される。この後、この値引き後の価格１５０円が、下段部７２の合計金額に加算される。
【００３９】
これらの様子は、図５に示すように、買い物客により、透過するオペレータの手とともにディスプレイ６の表示部１４を通して直接視覚的に確認される。また、オペレータにより押圧された、各操作ボタン２１、３２、３３、３４、４１も、所定の操作がなされるまでの間着色表示され、視認性が向上した状態が維持される。このため、買い物客は、オペレータによる情報登録操作が正しく行われているかどうかを、オペレータの手の動作と、押圧されたボタンの着色表示との両方で確認することができる。
【００４０】
次に、買い物客が情報入力処理を行う際の動作を説明する。
上述したオペレータによる情報登録操作の際、本来購入すべきでない商品を買い物かごに入れていたことに気付いた場合は、買い物客は、その商品の情報登録が行われた直後に、商品取消ボタン８１を押すことで、その商品の精算を取り消すことができる。
【００４１】
また、購入金額の支払いの際には、支払い方法選択ボタン８３を押圧することで、現金またはカードによる支払いを選択することができる。また、図６に示すように、使用ポイントボタン８２を押圧することで、ポイントによる支払いをすることができる。このように、客用の表示面１４ｂに操作ボタンを設けたことで、オペレータへの情報伝達を迅速且つ正確とすることができる。
【００４２】
以上説明したように、本発明の一実施形態によれば、ディスプレイ６の表示部１４に表示される各操作ボタンと、この操作ボタンに対するオペレータによる押圧操作とを、買い物客が表示部１４を構成する有機ＥＬパネル１７を透過して直接視覚的に確認可能としたので、買い物客に対するオペレータの情報登録操作についての信頼性を向上することができる。
【００４３】
次に、前述した一実施形態の変形例を図９を用いて説明する。なお、前述した実施の形態と同一の部分には同一の符号を付し、詳細な説明は省略する。
【００４４】
図９は、図４に示したオペレータ用の表示面を客側から見た様子を示したものである。この変形例が前述した一実施形態と異なる点は、各操作ボタンがオペレータにより押圧された際の、操作ボタンの表示方法にある。すなわち、各操作ボタン２１、３２、３３、３４、４１は、商品情報の登録操作に伴い、オペレータにより押圧されて、着色表示されるが、この際、着色表示と同時に、操作ボタンに表示された文字および写真を客側の視点において左右正表示となるように、反転表示する。この際、押圧されていない他の操作ボタンに記載された文字および写真は、オペレータ側の視点において左右正表示の状態を維持している。左右反転した文字および写真の表示は、着色表示と同様に、前述した所定の操作がなされるまでの間この状態が維持される。
【００４５】
このような表示方法とすることにより、買い物客が、押圧された操作ボタンの種類を判別することがより容易となるため、前述の一実施形態が奏する効果をより確実なものとすることができる。
【００４６】
本発明は、上述した実施形態には制約されない。本発明の要旨を逸脱しない範囲内であれば、適宜、変更してもよい。
【００４７】
前述の一実施形態および変形例では、オペレータ用の表示面１４ｂおよび各操作ボタンを、通常の状態において、それぞれ透過率が１００％となるように設定したが、有機ＥＬパネル１７を透過する背景により、オペレータにとって操作ボタンを視認しにくいようであれば、買い物客から操作者による手の動きが視認できる範囲内で、透過率を下げてもよい。
【００４８】
また、表示部１４として、デュアルエミッション型の有機ＥＬパネルを採用したが、これに限るものではなく、本発明の作用・効果を奏するものでれば、他の表示装置を使用してもよい。
【００４９】
さらに、本発明の対面式表示装置および店舗用精算装置は、セルフチェックアウト型のチェックアウトレーンに適用することを妨げるものではない。この場合は、上述の一実施形態においてオペレータが行った操作を、買い物客自身が行うことになる。この際、例えば、表示面１４ａを用いて買い物客が商品の情報登録操作をできるようにし、反対側の表示面１４ｂ側を店舗の監視カメラにより視認できるようにディスプレイ６を設置しておけば、買い物客の入力操作を確認し、買い物客が操作に困った際等に、画面を通して助言することなどに活用することができる。
【００５０】
また、本発明の対面式表示装置と組み合わせて使用される商品処理装置として、上述の一実施形態では商品に付されたバーコードを読み取るバーコード読取装置５を用いて説明したが、これに限るものではなく、例えば、計量器など、商品の重量や大きさなどに基づいて情報登録を行う装置を含むものである。
【図面の簡単な説明】
【００５１】
【図１】本発明の一実施形態に係る対面式表示入力装置およびこれを備えた店舗用精算装置を具備したチェックアウトレーンを示す斜視図。
【図２】図１の対面式表示入力装置をオペレータ側から見た図。
【図３】図１の対面式表示入力装置を客側から見た図。
【図４】図１の対面式表示装置を用いてオペレータが商品の情報登録する様子を説明する図。
【図５】図４の対面式表示入力装置を客側から見た図。
【図６】図１の対面式表示入力装置を用いて買い物客が情報入力する様子を説明する図。
【図７】図６の対面式表示入力装置をオペレータ側から見た図。
【図８】図１の対面式表示入力装置の断面図。
【図９】本発明の第一の変形例に係る対面式表示入力装置を客側から見た図。
【符号の説明】
【００５２】
１…チェックアウトレーン
２…店舗用精算装置
３…電子キャッシュレジスタ
４…サッカー台
５…バーコード読取装置
６…ディスプレイ
１４…表示部
１４ａ…オペレータ用の表示面
１４ｂ…客用の表示面
１５、１６…買い物かご
１７…有機ＥＬパネル
２０…商品カテゴリー選択ボタン（操作ボタン）
３０…詳細品目選択ボタン（操作ボタン）
３１ａ…画像部
３１ｂ…品目名部
３１ｃ…価格部
４０…取引操作選択ボタン（操作ボタン）
５０…テンキーボタン（操作ボタン）
６０…小計ボタン（操作ボタン）
８１…商品取消ボタン（操作ボタン）
８２…使用ポイント入力ボタン（操作ボタン）
８３…支払い方法選択ボタン（操作ボタン）
９０、９１…タッチパネル
【図１】
2009157725.tif 000003
【図２】
2009157725.tif 000004
【図３】
2009157725.tif 000005
【図４】
2009157725.tif 000006
【図５】
2009157725.tif 000007
【図６】
2009157725.tif 000008
【図７】
2009157725.tif 000009
【図８】
2009157725.tif 000010
【図９】
2009157725.tif 000011